(57)【特許請求の範囲】
【請求項１】
複数の支柱が格子状に連結されて構成され、外形が六面体に形成された食器篭であって、
前記食器篭の前面側に位置する面を形成する前面部が、前記食器篭の上面側に位置する面を形成する上面部の所定箇所に回転可能に連結しており、前記食器篭の前面を塞いだ状態と、前記上面部の上方に位置するまで当該上面部との連結箇所を支点として回転して前記食器篭の前面が開口した状態と、に変化するよう構成されており、
前記前面部は、当該前面部が前記食器篭の前面を塞いだ状態における高さ方向に沿ってスライド移動するよう、当該前面部が前記食器篭の前面を塞いだ状態における当該食器篭の内部側に取り付けられた略水平方向に延びるスライド部材を備え、
前記食器篭の側面を形成する側面部の前面側に位置する高さ方向に延びる支柱の所定の高さ位置に、当該支柱が所定の距離だけ切断されることで形成された切断部を設け、
前記前面部の回転に伴い、前記スライド部材がスライド移動した所定の位置で当該スライド部材が前記切断部を通過可能なよう構成されている、
食器篭。
【請求項２】
請求項１に記載の食器篭であって、
２つの前記側面部のそれぞれの外形を形成し、前面側に位置する２本の支柱の所定の高さ位置に、それぞれ前記切断部を形成し、
前記スライド部材の両端付近の部位が、それぞれ各前記切断部を通過可能なよう構成されている、
食器篭。
【請求項３】
請求項１又は２に記載の食器篭であって、
前記側面部の前面側に位置する支柱の下端付近に前記切断部を形成し、
前記前面部が前記食器篭の前面を塞ぐよう回転したときに、前記スライド部材が、前記切断部を前面側から背面側に向かって通過し、さらに高さ方向に沿ってスライド移動するよう構成されている、
食器篭。
【請求項４】
請求項１乃至３のいずれかに記載の食器篭であって、
前記側面部に、前記切断部を前面側から背面側に向かって通過した状態の前記スライド部材の高さ方向へのスライド移動を所定の範囲で規制する規制部材を備えた、
食器篭。
【請求項５】
請求項１乃至４のいずれかに記載の食器篭であって、
前記前面部は、前記上面部の前面側に位置する一部の部位と一体的に構成されており、当該前面部と一体的に構成された前記上面部の一部の部位は、当該上面部の前面側から背面側に向かって所定の距離だけ離れて位置する所定箇所に回転可能に連結されており、
前記前面部と一体的に構成された前記上面部の一部の部位側に前記スライド部材が位置するときに、当該スライド部材の両端付近の部位が、前記側面部の外形を形成する上面側の支柱の前面側の所定箇所に当接するよう構成されている、
食器篭。
【請求項６】
請求項５に記載の食器篭であって、
前記前面部が、前記上面部の上方に位置し、前記前面部と一体的に構成された前記上面部の一部の部位側に前記スライド部材が位置する状態から、前記食器篭の前面を塞ぐよう回転したときに、前記前面部と一体的に構成された前記上面部の一部の部位側に前記スライド部材が位置した状態で、当該スライド部材の両端付近の部位が、２つの前記側面部の外形をそれぞれ形成し上面側にそれぞれ位置する各支柱の前面側の所定箇所に当接するよう構成されている、
食器篭。
【発明の詳細な説明】
【技術分野】
【０００１】
本発明は、複数の食器を収納した状態で、運搬可能であると共に、食器洗浄機に投入して洗浄することが可能な食器篭に関する。
【背景技術】
【０００２】
学校や病院などにおいて提供される給食といった食事の際には、大量の食器が用いられる。このような大量の食器は、食事が提供される教室などの各箇所に運搬されるが、運搬の際には食器篭が用いられる。食器篭は、例えば、特許文献１，２に示すように、格子状の枠体で構成され、複数の食器を収納可能である。そして、食器篭は、食器を収納した状態で運搬でき、そのまま食器洗浄機に投入して収納された食器を洗浄することもできるよう構成されている。
【０００３】
具体的に、特許文献１，２に開示の食器篭は、複数の食器を高さ方向に積み重ねた状態で収納可能であり、食器の周囲を、高さ方向に延びる複数の支持体で支持している。そして、特許文献１の食器篭では、当該食器篭の前面側に位置する支持体が横方向つまり幅方向に開くよう構成されており、前面側が開いた状態で食器を収納することができる。また、特許文献２の食器篭では、当該食器篭の上面の留め具が取り外し可能なよう構成されており、かかる留め具を取り外した状態で上面側から食器を収納することができる。
【先行技術文献】
【特許文献】
【０００４】
【特許文献１】特開２０１１−９２４４８号公報
【特許文献２】特開２０１５−３７５０４号公報
【発明の概要】
【発明が解決しようとする課題】
【０００５】
しかしながら、上述した特許文献１の食器篭は、前面側の支持体が幅方向に開くため、当該食器篭の幅方向に支持体を開くスペースが必要となる。すると、食器篭が配膳台などに配置されている場合には、食器篭の載置スペースよりも広いスペースが必要となるため、利用場所が制限されてしまうおそれがあり、利便性が低下する、という問題が生じる。また、上述した特許文献２の食器篭は、上面の留め具を取り外して上面側から食器を収納しているため、収納方法が容易ではない。その結果、利便性が低下する、という問題が生じる。
【０００６】
このため、本発明の目的は、食器を収納する食器篭の利便性の向上を図ることにある。
【課題を解決するための手段】
【０００７】
本発明の一形態である食器篭は、
複数の支柱が格子状に連結されて構成され、外形が六面体に形成された食器篭であって、
前記食器篭の前面側に位置する面を形成する前面部が、前記食器篭の上面側に位置する面を形成する上面部の所定箇所に回転可能に連結しており、前記食器篭の前面を塞いだ状態と、前記上面部の上方に位置するまで当該上面部との連結箇所を支点として回転して前記食器篭の前面が開口した状態と、に変化するよう構成されており、
前記前面部は、当該前面部が前記食器篭の前面を塞いだ状態における高さ方向に沿ってスライド移動するよう、当該前面部が前記食器篭の前面を塞いだ状態における当該食器篭の内部側に取り付けられた略水平方向に延びるスライド部材を備え、
前記食器篭の側面を形成する側面部の前面側に位置する高さ方向に延びる支柱の所定の高さ位置に、当該支柱が所定の距離だけ切断されることで形成された切断部を設け、
前記前面部の回転に伴い、前記スライド部材がスライド移動した所定の位置で当該スライド部材が前記切断部を通過可能なよう構成されている、
という構成をとる。
【０００８】
また、上記食器篭では、
２つの前記側面部のそれぞれの外形を形成し、前面側に位置する２本の支柱の所定の高さ位置に、それぞれ前記切断部を形成し、
前記スライド部材の両端付近の部位が、それぞれ各前記切断部を通過可能なよう構成されている、
という構成をとる。
【０００９】
また、上記食器篭では、
前記側面部の前面側に位置する支柱の下端付近に前記切断部を形成し、
前記前面部が前記食器篭の前面を塞ぐよう回転したときに、前記スライド部材が、前記切断部を前面側から背面側に向かって通過し、さらに高さ方向に沿ってスライド移動するよう構成されている、
という構成をとる。
【００１０】
また、上記食器篭では、
前記側面部に、前記切断部を前面側から背面側に向かって通過した状態の前記スライド部材の高さ方向へのスライド移動を所定の範囲で規制する規制部材を備えた、
という構成をとる。
【００１１】
また、上記食器篭では、
前記前面部は、前記上面部の前面側に位置する一部の部位と一体的に構成されており、当該前面部と一体的に構成された前記上面部の一部の部位は、当該上面部の前面側から背面側に向かって所定の距離だけ離れて位置する所定箇所に回転可能に連結されており、
前記前面部と一体的に構成された前記上面部の一部の部位側に前記スライド部材が位置するときに、当該スライド部材の両端付近の部位が、前記側面部の外形を形成する上面側の支柱の前面側の所定箇所に当接するよう構成されている、
という構成をとる。
【００１２】
また、上記食器篭では、
前記前面部が、前記上面部の上方に位置し、前記前面部と一体的に構成された前記上面部の一部の部位側に前記スライド部材が位置する状態から、前記食器篭の前面を塞ぐよう回転したときに、前記前面部と一体的に構成された前記上面部の一部の部位側に前記スライド部材が位置した状態で、当該スライド部材の両端付近の部位が、２つの前記側面部の外形をそれぞれ形成し上面側にそれぞれ位置する各支柱の前面側の所定箇所に当接するよう構成されている、
という構成をとる。
【発明の効果】
【００１３】
上記構成の食器篭によると、まず、前面部を高さ方向に回転させて開口させることができる。このため、食器篭自体の配置スペースの省スペース化を図ることができ、開口した前面から容易に食器を収納することができ、利便性の向上を図ることができる。また、前面部に設けたスライド部材を所定の高さ位置にスライド移動し、側面部の支柱に形成された切断部を通過させて食器篭の内部側に位置させ、さらにスライド部材をスライド移動することで、前面部で食器篭の前面を塞いだ状態で当該前面部を固定することができる。さらに、食器篭の前面を開口させて前面部を上面部の上方に位置させた状態では、スライド部材が前面部の上面部側に位置することとなり、この状態から食器篭の前面を塞ぐよう前面部を回転させたときに、スライド部材が側面部の上面側に当接して完全には食器篭の前面が塞がれないこととなる。その結果、不意に前面部が回転してしまった場合であっても、前面部と前面側の他の支柱との間に指などを挟んでしまうことを抑制でき、さらなる利便性の向上を図ることができる。
【図面の簡単な説明】
【００１４】
【図１】本発明の食器篭の構成を示す図であり、前面部を閉じたときの状態を示す。
【図２】食器篭の前面部を開くときの動作を示す図である。
【図３】図１及び図２に示す食器篭の構成の一部を拡大した図である。
【図４】食器篭の前面部を開くときの動作を示す図である。
【図５】食器篭の前面部を開くときの動作を示す図である。
【図６】食器篭の前面部が開いた時の状態を示す図である。
【図７】食器篭の前面部が開いた状態から閉じるよう回転したときの様子を示す図である。
【図８】図７に示す食器篭の構成の一部を拡大した図である。
【図９】図６に示す前面部を開いた状態の食器篭に食器を収納したときの様子を示す図である。
【図１０】図９に示すように食器を収納した食器篭の前面部を閉じたときの様子を示す図である。
【発明を実施するための形態】
【００１５】
＜実施形態１＞
本発明の第１の実施形態を、図１乃至図１０を参照して説明する。図１に示すように、本実施形態における食器篭は、複数の支柱が格子状に連結されて構成されており、外形が六面体に形成されている。具体的に、食器篭は、六面全てが略正方形に形成された略立方体に形成されており、前面部と、背面部と、上面部と、下面部と、２つの側面部と、を備えている。但し、食器篭を形成する各面部は、必ずしも正方形であることに限定されず、長方形であってもよく、その他の形状であってもよい。なお、本実施形態では、図１において上下方向を高さ方向とし、前面部と背面部との間の方向を前後方向とし、当該前後方向に対する垂直方向である２つの側面部間の方向を幅方向とする。
【００１６】
ここで、図１は、前面部が閉じたときの食器篭の状態を示しており、かかる前面部が開くと図６の状態となる。また、図２乃至図５は、閉じた状態の前面部を開く動作を説明するための図である。以下、食器篭の各構成及び使用時の様子について詳述する。
【００１７】
まず、図６を参照して、下面部ついて説明する。図６に示すように、食器篭の下面を形成する下面部は、略正方形に形成された支柱４０にて外形が構成されている。そして、下面部には、内部に前後方向に沿って延びる２本の支柱４１，４２が設けられており、また、内部に前後方向に対して垂直方向である幅方向に沿って延びる１本の支柱４３が設けられている。そして、前後方向に沿って延びる２本の支柱４２には、上方に板面を向けて配置された載置板４４が設けられている。
【００１８】
上記載置板４４は、下面部の幅方向の中央部分に配置された所定の幅を有する板状部材である。この載置板４４の板面上には、後述するように食器が載置される。そして、載置板４４は、下面部において、前後方向に沿って所定の長さに形成されている。具体的に、載置板４４は、下面部の最前面側箇所から背面側に向かって前後方向の中央箇所を超えた所定箇所まで延びて形成されているが、最背面側箇所までは延びていない。但し、載置板４４は、いかなる長さに形成されていてもよい。また、載置板４４には、当該板面を貫通する複数の貫通孔が形成されている。
【００１９】
また、上記幅方向に沿って延びる１本の支柱４３は、下面部の前後方向のほぼ中央に配置されており、食器篭内部の両端付近に食器篭の高さ方向である上方に延びる２本の支柱からなる食器支持体４５，４６が連結している。なお、これら２本の食器支持体４５，４６は、上端で上面部に連結している。具体的に、２本の食器支持体４５，４６の配置間隔は、後述するように載置板４４上に載置された外形が円形の食器の周囲を囲って位置するよう設定されている。
【００２０】
次に、図１、図６を参照して、背面部について説明する。背面部は、略正方形に形成された支柱２０にて外形が構成されている。そして、背面部は、上述した下面部の前後方向の最背面側に位置して、当該下面部に対して垂直に立設した背面を形成している。背面部の内部には、食器篭自体の強度を維持したり、他の支柱と連結されるための補助支柱が、外形を構成する支柱２０に連結されて設けられている。
【００２１】
また、背面部には、当該背面部から前後方向の前面側つまり食器篭の内部側に位置し、食器篭の高さ方向に延びる２本の支柱からなる食器支持体２１，２２が連結している。具体的に、背面部には、上端付近と下端付近にそれぞれ食器篭の内部側に位置して幅方向に延びる補助支柱２３，２４が連結されて設けられており、かかる補助支柱２３，２４の間を連結するよう２本の食器支持体２１，２２が設けられている。なお、２本の食器支持体２１，２２の配置間隔は、後述するように食器篭の内部に収納された外形が円形の食器の周囲を囲って位置するよう設定されている。
【００２２】
次に、図１、図３、図６等を参照して、２つの側面部ついて説明する。側面部は、略正方形に形成された支柱５０，６０にてそれぞれ外形が構成されている。そして、側面部は、上述した下面部の幅方向の両端部にそれぞれ位置して、当該下面部に対して垂直に立設した側面を形成している。側面部の内部には、食器篭自体の強度を維持したり、他の支柱と連結されるための補助支柱が、外形を構成する支柱５０，６０に連結されて設けられている。
【００２３】
また、側面部の外形を形成する支柱５０，６０のうち、前面側に位置する支柱５１，６１には、下端付近において、支柱５１，６１自体が所定の距離だけ切断された切断部５１ａ，６１ａが形成されている。切断部５１ａ，６１ａは、後述するスライド部材７０を構成するスライドバー７１の直径以上の長さに形成されており、スライドバー７１が通過可能である。また、側面部の前面側に位置する支柱５１，６１には、その背面側に、切断部５１ａ，６１ａの周囲を囲う囲い部５２，６２（規制部材）が設けられている。囲い部５２，６２は、切断部５１ａ，６１ａの位置から上下方向に所定の距離だけ広がった範囲、つまり、切断部５１ａ，６１ａの高さ方向の所定範囲を囲うよう略コ字状の支柱で形成されている。これにより、後述するように、切断部５１ａ，６１ａを通過して囲い部５２，６２内に位置することとなったスライドバー７１は、当該囲い部５２，６２内でのみ高さ方向へのスライド移動が規制されることとなる。
【００２４】
次に、図１，図６を参照して、上面部について説明する。上面部は、上述した下面部に対向し、食器篭自体の上面を形成している。上面部は、図１に示すように、全体的には略正方形に形成された支柱にて外形が構成されていが、前後方向のほぼ中間位置で、前面側と背面側とに分割された形状となっている。つまり、上面部は、前面側に略長方形に形成された支柱３１にて外形が構成された前面側部位と、背面側に略長方形に形成された支柱３２にて外形が構成された背面側部位と、が配置されて構成されている。そして、前面側部位は、背面側部位との連結箇所３３で当該背面側部位に対して回転可能に連結されている。さらに前面側部位は、前面部に連結して、当該前面部と一体的に構成されている。なお、かかる構成については後述する。
【００２５】
次に、図１、図３、図６を参照して、前面部について説明する。前面部は、略正方形に形成された支柱１０にて外形が構成されている。そして、前面部は、上述した背面部に対向する面を形成し、上述した下面部の前後方向の最前面側に位置して、当該下面部に対して垂直に立設した食器篭自体の前面を形成している。
【００２６】
また、前面部には、当該前面部から前後方向の背面側つまり食器篭の内部側に位置し、食器篭の高さ方向に延びる２本の支柱からなる食器支持体１１，１２が連結している。具体的に、前面部には、上端付近と下端付近にそれぞれ食器篭の内部側に位置して幅方向に延びる補助支柱１３，１４が連結されて設けられており、かかる補助支柱１３，１４の間を連結するよう２本の食器支持体１１，１２が設けられている。なお、２本の食器支持体１１，１２の配置間隔は、後述するように食器篭の内部に収納された外形が円形の食器の周囲を囲って位置する設定されている。
【００２７】
そして、前面部は、上端箇所において、上述した上面部の一部を構成する前面側部位が連結して一体的となっている。つまり、前面部は、その上端が直角に曲折して上面の一部を形成している。そして、前面部と一体的である前面側部位が、上面部の背面側部位と連結箇所３３にて回転可能に連結していることから、前面部自体が上面部に対して回転可能に連結されていることとなる。具体的に、前面部は、上面部の前後方向のほぼ中央箇所で背面側部位と回転可能に連結しており、かかる連結箇所３３を支点として、前面部の下端側が上方に向かって回転可能となる。
【００２８】
ここで、上述した前面部を、上面部の連結箇所３３を支点として、当該上面部の上方に位置するまで回転させたときの様子を図６に示す。このように前面部を上面部の上方に回転させて位置させることで、当該前面部に一体的に連結されている食器篭の内部の前面側に位置していた２本の食器支持体１１，１２も、上面部の上方に位置することとなる。その結果、食器篭の前面を開口させた状態とすることができる。また、前面部の上端側は、上面部の前面側部位が一体的となっているため、かかる前面側部位の箇所も回転させて上面部よりも上方に位置させることができる。これにより、上面部の前面側も開口させることができる。
【００２９】
以上のように、本発明における食器篭は、前面部を上方に回転させて食器篭自体の前面全体と上面の前面側を開口させることができる。このため、食器篭の開口スペースが広く、食器を容易に収納させることができ、利便性が向上する。また、回転させた前面部は上面部の上方に位置するため、食器篭の幅方向にスペースを確保する必要がなく、利用が容易となる。
【００３０】
また、食器篭の前面部には、当該前面部が食器篭の前面を塞いだ状態における高さ方向に沿ってスライド移動するスライド部材７０を備えている。スライド部材７０は、図４に示すように、前面部の幅方向の両端に位置する支柱１５，１６、つまり、食器篭の前面を塞いだ状態における高さ方向に延びる当該前面部の２本の支柱１５，１６に沿ってスライド移動するよう、取り付けられている。具体的に、スライド部材７０は、所定の長さの筒状体であり、内部に前面部の上記２本の支柱１５，１６がそれぞれ挿入された２つのスライド部７２と、当該２つのスライド部７２の外側面に固定装備された１本の棒状部材であるスライドバー７１と、により構成される。つまり、スライド部材７０は、スライドバー７１が前面部の幅方向つまり略水平方向に延びるよう配置され、その長手方向に対して直交する方向にスライド移動するよう構成されている。なお、スライド部材７０が取り付けられる前面部の２つの支柱１５，１６の幅は、２つの側面部の間の距離よりも狭く設定されており、図１や図２に示すように前面部が食器篭の前面を塞いだ状態では、上記２つの支柱１５，１６は各側面部の前面側の支柱５１，６１の内側に位置することとなる。また、スライドバー７１の長さは、スライド部材７０が取り付けられている前面部の２つの支柱１５，１６の幅よりも長く形成されており、２つの側面部の距離とほぼ同じ長さあるいはそれよりもやや長い長さに形成されている。
【００３１】
次に、上述したスライド部材７０の動作を説明するとともに、食器篭の使用時の様子を、図１乃至図１０を参照して説明する。まず、図１は、食器篭の前面を前面部で塞いで、スライド部材７０で前面部が開かないように係止している状態を示している。ここでは、図１及び図３（ａ）に示すように、スライド部材７０のスライドバー７１の両端が、それぞれ側面部の前面側の支柱５１，６１よりも背面側の囲い部５２，６２内に位置している。なお、かかる状態にするには、以下のように食器篭を操作する。まず、前面部が開いている状態から当該前面部を食器篭の前面付近に位置するよう回転させ、スライドバー７１の両端が、それぞれ側面部の前面側の支柱５１，６１に形成された切断部５１ａ，６１ａの形成箇所に位置するようスライド部材７０をスライドさせる。そして、前面部をさらに食器篭の前面を塞ぐよう回転させることで、スライドバー７１の両端が、前面側から背面側に向かって切断部５１ａ，６１ａを通過することとなり、図２及び図３（ｂ）に示すように、それぞれ側面部の前面側の支柱５１，６１よりも背面側に位置することとなる。その後、スライド部材７０を下方にスライド移動させることで、図１及び図３（ａ）に示すように、スライドバー７１の両端がそれぞれ側面部の前面側の支柱５１，６１よりも背面側に位置して当該支柱５１，６１に引っ掛かり、前面部が開かないよう係止される。
【００３２】
続いて、かかる状態から前面部を回転させて食器篭の前面を開く操作を説明する。まず、上述とは逆の手順により、図２及び図３（ｂ）に示すように、スライドバー７１の両端が、それぞれ側面部の前面側の支柱５１，６１に形成された切断部５１ａ，６１ａの形成箇所に位置するようスライド部材７０を上方にスライドさせる。そして、前面部を開くよう回転させることで、スライドバー７１の両端が、それぞれ側面部の前面側の支柱５１，６１に形成された切断部５１ａ，６１ａの形成箇所を背面側から前面側に通過し、図４に示すように食器篭の前面が徐々に開くこととなる。
【００３３】
そして、図５に示すように、さらに前面部を上面部との連結箇所３３を支点として上方に回転させることで、図６に示すように、前面部が上面部の上方に位置し、食器篭の前面を完全に開口した状態とすることができる。このとき、前面部は、食器篭の前面を塞いだ状態の向きとは逆さまとなり、スライド部材７０は、図６に示すように、前面部が食器篭の前面を塞いでいるときとは反対側の端部に位置するよう、つまり、前面部と一体的に構成された上面部の前面側部位側に位置するよう、スライド移動することとなる。換言すると、スライド部材７０は、前面部の外形を形成する幅方向の両端の２本の支柱１５，１６において、前面部が食器篭の前面を塞いでいる状態における上端側にスライド移動した状態となる。
【００３４】
ここで、図６に示すように、前面部が上面部の上方に位置している状態から、不意に前面部が下方に回転してしまった場合を説明する。このとき、上述したように、スライド部材７０は前面部において上面部側に位置している。このため、図７及び図８に示すように、スライド部材７０のスライドバー７１の両端付近の部位が、２つの側面部の外形をそれぞれ形成し上面側にそれぞれ位置する各支柱５３，６３の前面側の所定箇所に当接することとなる。これにより、前面部が食器篭の前面を完全に塞ぐまで回転することが防止され、前面部と前面側の他の支柱との間に隙間が確保され、指などを挟んでしまうことを抑制できる。
【００３５】
ここで、図９に、食器篭の前面を開口させて、食器１００を収納させたときの状態を示す。この図に示すように、食器篭の下面部に設けられた載置板４４の板面上に、食器１００を高さ方向に積み重ねて収納していくこととなる。このとき、載置板４４は、下面部の最前面箇所から形成されているため、最下の食器１００を収納する際に最前面箇所から載置でき、収納が容易となる。
【００３６】
また、図１０に、食器を収納した後に、前面部の回転状態を戻して、食器篭自体の前面を前面部で塞いだときの状態を示す。このとき、前面部を回転させる際には、前面を塞いだときに前面部の下端側となる方向にスライド部材７０をスライド移動させ、図７に示すように当該スライド部材７０が他の支柱５３，６３に当接しないようにする。そして、上述したように、スライド部材７０のスライドバー７１の両端が、それぞれ側面部の前面側の支柱５１，６１に形成された切断部５１ａ，６１ａの形成箇所に位置するようスライド部材７０をスライドさせる。その後、前面部をさらに食器篭の前面を塞ぐよう回転させることで、スライドバー７１の両端を、前面側から背面側に向かって切断部５１ａ，６１ａを通過させ、さらにスライド部材７０を下方にスライド移動させる。これにより、スライドバー７１の両端がそれぞれ囲い部５２，６２内に位置し、側面部の前面側の支柱５１，６１に引っ掛かり、前面部が開かないよう係止される。
【００３７】
上述したように前面部にて食器篭の前面を塞いだ状態とすると、内部に高さ方向に積み重ねられて収納された食器は、その周囲が６本の食器支持体１１，１２，２１，２２，４５，４６（図１、図６参照）で囲まれた状態となる。つまり、食器篭の内部において、食器の周囲のうち、前面側は符号１１，１２の食器支持体で、背面側は符号２１，２２の食器支持体で、側面側は符号４５，４６の食器支持体で、囲まれることとなる。これにより、食器が収納された食器篭を上下逆さにして食器洗浄機に投入して食器を洗浄したり保管を行うことができる。このとき、食器を載置する載置板４４に複数の貫通孔が形成されているため、効率よく洗浄や乾燥を行うことができる。
【００３８】
なお、上記では、上面部が前後方向のほぼ中間位置で前面側と背面側とに分割され、前面側部位が前面部と一体的に構成されている場合を例示したが、前面側部位はいかなる大きさや形状であってもよい。また、前面部は、必ずしも上面部側に曲折して形成されていなくてもよい。
【００３９】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００４０】
１０，１５，１６，２０，３１，３２，４０，５０，５１，５３，６０，６１，６３  支柱
１１，１２，２１，２２，４５，４６  食器支持体
４４  載置板
５１ａ，６１ａ  切断部
５２，６２  囲い部
７０  スライド部材
７１  スライドバー
７２  スライド部
１００  食器
【図１】
0006934201.tif 000002
【図２】
0006934201.tif 000003
【図３】
0006934201.tif 000004
【図４】
0006934201.tif 000005
【図５】
0006934201.tif 000006
【図６】
0006934201.tif 000007
【図７】
0006934201.tif 000008
【図８】
0006934201.tif 000009
【図９】
0006934201.tif 000010
【図１０】
0006934201.tif 000011